(57)【要約】  ＲＦＩＤタグを改善するために、ＲＦＩＤタグが、繊維層（４）を有し、この繊維層が、折り目線（６）に沿って２つの区域（８、１０）に区分され、第１区域（８）が、デザインタグとして形成され、第１区域上に折り畳まれた第２区域（１０）が、トランスポンダタグとして形成され、第２区域には、アンテナ（１２）が嵌め込まれ又は被着されており、アンテナが、チップ（１４）と接続されている。
2009545038.tif 000002
【特許請求の範囲】
【請求項１】
繊維製のデザインタグを有するＲＦＩＤタグであって、該タグの裏面には、トランスポンダが配置されており、該トランスポンダが、アンテナ（１２、１２ａ、１２ｂ）を備えたチップ（１４）を有するものにおいて、
当該ＲＦＩＤタグが繊維層（４）を有し、該繊維層が折り目線（６）に沿って２つの区域（８、１０）に区分され、第１区域（８）がデザインタグとして形成され、第２区域（１０）が、前記第１区域上に折り畳まれ、前記第２区域（１０）が、トランスポンダタグとして形成され、前記第２区域には、アンテナ（１２、１２ａ、１２ｂ）が嵌め込まれ又は被着されており、該アンテナが、チップ（１４）に接続されていることを特徴とするＲＦＩＤタグ。
【請求項２】
前記アンテナ（１２、１２ａ、１２ｂ）が、蛇行状又はジグザグ状又はコイル状に配置されていることを特徴とする請求項１に記載のＲＦＩＤタグ。
【請求項３】
前記第２区域（１０）のアンテナ（１２ｂ）が、区域の縁部まで案内されていることを特徴とする請求項１又は２記載のＲＦＩＤタグ。
【請求項４】
前記アンテナ（１２ａ）が、デザインタグ（８）に沿って、折り目線（６）から離れて対向する位置にある縁部（１６）にまで延びていることを特徴とする請求項１又は２記載のＲＦＩＤタグ。
【請求項５】
前記トランスポンダが、ＨＦ又はＵＨＦチップ（１４）を有していることを特徴とする請求項１ないし３のいずれか一項に記載のＲＦＩＤタグ。
【請求項６】
前記繊維層（４）が、編まれて又は織られて形成されており、前記アンテナ（１２）が、前記繊維層に編み込まれるか又は織り込まれていることを特徴とする請求項１ないし５のいずれか一項に記載のＲＦＩＤタグ。
【請求項７】
前記繊維層（４）が、不織布として形成され、該不織布の内部又は表面には、前記アンテナ（１２）が配置されていることを特徴とする請求項１ないし５のいずれか一項に記載のＲＦＩＤタグ。
【請求項８】
当該ＲＦＩＤタグが可塑化されていることを特徴とする請求項１ないし７のいずれか一項に記載のＲＦＩＤタグ。
【請求項９】
前記繊維層（４）が、熱溶解の接着性の糸を含み、該糸が、各区域を互いに結合していることを特徴とする請求項１ないし８のいずれか一項に記載のＲＦＩＤタグ。
【請求項１０】
前記アンテナ（１２）が、前記チップ（１４）とはんだ付けされていることを特徴とする請求項１ないし９のいずれか一項に記載のＲＦＩＤタグ。
【請求項１１】
前記アンテナ（１２）が、導電性接着剤（２０、２２）によってチップ（１４）と接続されていることを特徴とする請求項１ないし９のいずれか一項に記載のＲＦＩＤタグ。
【請求項１２】
前記チップ（１４）が、付加的に接着剤（２８）によって前記繊維層（４）と結合されていることを特徴とする請求項１ないし１１のいずれか一項に記載のＲＦＩＤタグ。
【請求項１３】
前記第２区域（１０）が、最大で前記第１区域（８）と同じ大きさまでで形成されていることを特徴とする請求項１ないし１２のいずれか一項に記載のＲＦＩＤタグ。
【請求項１４】
前記繊維層（４）が、織られて形成され、前記折り目線（６）が、緯糸方向に延びていることを特徴とする請求項１ないし１３のいずれか一項に記載のＲＦＩＤタグ。
【請求項１５】
前記繊維層（４）が、前記嵌め込まれたアンテナ（１２）と共にニードル織機で製造されていることを特徴とする請求項１ないし１４のいずれか一項に記載のＲＦＩＤタグ。
【請求項１６】
前記繊維層（４）が、前記嵌め込まれたアンテナ（１２）と共に広幅織機で製造し裁断されていることを特徴とする請求項１ないし１４のいずれか一項に記載のＲＦＩＤタグ。
【発明の詳細な説明】
【技術分野】
【０００１】
本発明は、請求項１に記載されたＲＦＩＤタグに関する。
【背景技術】
【０００２】
特許文献１による公知のＲＦＩＤタグでは、支持体上に配置されたアンテナと、このアンテナに接続されたチップとから成る完全トランスポンダ（transponder）が設けられている。このトランスポンダは、最初に支持層に被着され、次にこの支持層がデザインタグと接続され、このデザインタグは支持層に裾のように重なっている。トランスポンダは、ユニットとして設けられているので、独自の層を形成し、こうして３層、従って比較的厚くて剛性なＲＦＩＤタグを提供する。このようなＲＦＩＤタグは、比較的コストがかかり、あまり柔軟でない。さらに、ＲＦＩＤタグは、衣類で使用した場合、望ましくない途切れ箇所となり、着用快適性を損なうことになる。
【０００３】
特許文献２による公知の他のＲＦＩＤタグでは、デザインタグが２つの層から成り、層がポケットを形成し、そのポケット内にトランスポンダが挿入されている。この多層型のＲＦＩＤタグも、製造が難しいだけでなく、比較的厚くて剛性であり、従って、上記ＲＦＩＤタグと同様に望ましくない特性を有する。
【先行技術文献】
【特許文献】
【０００４】
【特許文献１】国際公開第０２／０９３５２４号パンフレット
【特許文献２】国際公開第９４／２９５０３号パンフレット
【発明の概要】
【発明が解決しようとする課題】
【０００５】
本発明の課題は、上記で言及された種類のＲＦＩＤタグを改善することである。
【課題を解決するための手段】
【０００６】
この課題は、請求項１のＲＦＩＤタグによって解決される。
【０００７】
ＲＦＩＤタグが、繊維層を有し、この繊維層が、折り目線に沿って２つの区域に区分され、第１区域が、デザインタグとして形成され、第１区域上に折り畳まれた第２区域が、トランスポンダタグとして形成され、第２区域が、嵌め込まれ又は被着されたアンテナを含み、このアンテナがチップと接続されている。これにより、まず、ごく単純なＲＦＩＤタグが得られる。というのも、このタグは一体に製造可能であり、それとともにデザインタグの片面がトランスポンダタグと強固に接続されているからである。繊維層の第２区域は、１ｃｍ当りの緯糸数が第１区域よりも著しく小さい数で製造することができる。チップとアンテナ糸は、浮いている紋糸によって作られた肉厚部を介して嵌め込む必要がない。アンテナが繊維層に嵌め込まれ又は繊維層に取付けられていることによって、チップは繊維層に直接配置してアンテナと接続しておくこともでき、こうしてデザインタグに直接接続されたトランスポンダタグを形成する。このサンドイッチ構成によってアンテナとチップは、保護されることにもなる。こうして２層のＲＦＩＤタグが得られ、このタグは公知の３層ＲＦＩＤタグよりもはるかに薄く、嵩張り感が少ない。そのことから、ＲＦＩＤタグの柔軟性が改善され、それとともにタグの取扱い性および着用快適性が改善される。
【０００８】
ＲＦＩＤタグの好ましい実施形態は請求項２〜１６に明示されている。
【０００９】
請求項２によれば、アンテナが、蛇行状又はジグザグ状又はコイル状で繊維層の内部又は表面に配置されていると好ましい。請求項３によれば、第２区域のアンテナは、区域の縁部にまで案内しておくことができ、従って、第１区域が延長部を有することはない。しかし、請求項４によれば、アンテナをデザインタグに沿って、折り目線から離れた方の縁部にまで案内することも可能である。このことは、特にＲＦＩＤタグの製造にとって有利である。というのも、このようなＲＦＩＤタグは、一般に、織機で連続的に製造することができ、この場合、アンテナ糸は、中断せずに或るタグから次のタグへと案内することができるからである。
【００１０】
請求項５によれば、ＲＦＩＤタグは、ＨＦ又はＵＨＦチップを有している。
【００１１】
請求項６によれば、繊維層は、編まれるか又は織られて形成されている。また、アンテナは、編み込まれるか又は織り込まれている。請求項７によれば、繊維層は不織布として形成しておくこともでき、この不織布の内部又は表面にアンテナが配置されている。
【００１２】
請求項８によれば、ＲＦＩＤタグは、可塑化しておくこともでき、これにより耐久性は改善することができる。
【００１３】
さらに、請求項９によれば、繊維層が、熱溶解の接着性の糸（融着糸）を含み、この融着糸によって区域が互いに結合されていると有利である。
【００１４】
請求項１０によれば、アンテナは、チップとはんだ付けしておくことができる。請求項１１によれば、アンテナが、導電性接着剤によってチップと接続されていると、特に簡単な構成が得られる。請求項１２によれば、チップが付加的に接着によって繊維層と結合されているとき、特に安定した構成が得られる。
【００１５】
請求項１３によれば、第２区域が、デザインタグから張り出さないように第２区域は最大で第１区域と同じ大きさとなっている。
【００１６】
請求項１４によれば、ＲＦＩＤタグの構成は、繊維層が織られて形成され、折り目線が緯糸方向に延びているので、その製造が容易となる。その場合、アンテナ糸は経糸のように扱い、すなわち、供給し給糸することができる。
【００１７】
請求項１５によれば、繊維層が、嵌め込まれたアンテナと共にニードル織機で製造されていると特に有益であり、これにより、確実な縁部が与えられる。しかし、請求項１６による製造も可能であり、繊維層は、嵌め込まれたアンテナと共に広幅織機で製造され、次に、個々の帯材に裁断される。
【００１８】
前記構成要素、請求された構成要素、下記実施例に述べられ本発明により使用すべき構成要素は、それらの寸法、形状、使用材料および技術的思想の点で、特別な例外条件に服しておらず、各応用分野において知られた選択基準は制約されることなく応用することができる。
【００１９】
本発明の対象物のその他の細部、利点および特徴は、添付する図面の以下の説明から明らかとなる。
【図面の簡単な説明】
【００２０】
【図１】デザインタグとその上に折り畳まれるトランスポンダタグとを有するＲＦＩＤタグの略図である。
【図２】図１のＲＦＩＤタグを展開した状態を示した平面図である。
【図３】図２のＲＦＩＤタグの変更例を示した図である。
【図４】図１のＲＦＩＤタグを示した側面図である。
【図５】チップの配置を示した横断面図である。
【発明を実施するための形態】
【００２１】
図１に略示されたＲＦＩＤタグ２は、繊維層４で形成されており、この繊維層は、折り目線６に沿って第１区域８と第２区域１０とに区分されている。第１区域は、デザインタグとして形成され、相応する図形記号及び／又は文字記号を備えておくことができる。トランスポンダタグとして形成される第２区域１０は、アンテナ１２を含み、このアンテナは、図示した例では、蛇行状に配置して繊維層４に嵌め込まれている。アンテナにチップ１４が接続されている。第２区域１０の長さＬは、最大で第１区域８の長さと同じであるか、もしくは、主にそれよりも短くなっている。第２区域１０は、第１区域８の上に折り畳まれ、特に図４から読み取ることができるように、第１区域に当接する。第２区域１０は、折り目線６に沿って第１区域８と結合しておくことができるだけでなく、例えば、区域の１つにおいて、詳しくは示さない接着糸による接着等の付加的措置によって結合しておくことができる。
【００２２】
図２は、展開したＲＦＩＤタグ２の平面図であり、この図からアンテナの配置が明らかとなる。アンテナ１２は、第２区域１０で蛇行状に延びており、繊維層４の第１区域８では折り目線６から、折り目線６から離れた方の縁部１６にまで直線状に案内されている。この構成の利点として、アンテナ１２は帯状に製造される繊維層４に持続的に挿入することができ、或るＲＦＩＤタグ２から後続のＲＦＩＤタグ２ａへと継目なしに移行できる。このようなタグは、主にニードル織機で製造され、折り目線は、緯糸の方向に延び、アンテナ１２は、経糸と同様に供給することができる。
【００２３】
図３は、ＲＦＩＤタグ２ｂの変更実施形態を示している。ここでは、第２区域１０のアンテナ１２ａが、横で外に引き出され、第２区域１０のアンテナ１２ａが、ＲＦＩＤタグの製造の間において第１区域８の外側を延びている。第１区域の外側にあるアンテナ糸１２ｂは、帯材の製造後にＲＦＩＤタグから切り取られる。
【００２４】
特に図５から読み取ることができるように、チップ１４が支持体１８を有し、この支持体は、詳しくは図示しないチップの端子を含む。これらの端子は、それぞれ、導電性接着剤２０、２２を介してアンテナ１２のアンテナ区域２４、２６と導電結合されている。さらに、チップ１４は、他の接着剤２８を介して繊維層４と結合されている。チップ１４の領域において、アンテナ１２が、短絡ブリッジ３０を有し、この短絡ブリッジは、中断部３２で遮断することができる。このアンテナの配置は、チップ１４の両側でアンテナ区域がほぼ同じ長さを有するようになされている。
【符号の説明】
【００２５】
Ｌ  第２区域の長さ
２  ＲＦＩＤタグ
２ａ  ＲＦＩＤタグ
２ｂ  ＲＦＩＤタグ
４  繊維層
６  折り目線
８  第１区域
１０  第２区域
１２  アンテナ
１２ａ  アンテナ
１２ｂ  アンテナ
１４  チップ
１６  縁部
１８  支持体
２０  接着剤
２２  接着剤
２４  アンテナ区域
２６  アンテナ区域
２８  接着剤
３０  短絡ブリッジ
３２  中断部
【図１】
2009545038.tif 000003
【図２−４】
2009545038.tif 000004
【図５】
2009545038.tif 000005
【手続補正書】
【提出日】平成20年5月23日(2008.5.23)
【手続補正１】
【補正対象書類名】特許請求の範囲
【補正対象項目名】全文
【補正方法】変更
【補正の内容】
【特許請求の範囲】
【請求項１】
繊維製のデザインタグを有するＲＦＩＤタグであって、該タグの裏面には、トランスポンダが配置され、該トランスポンダが、アンテナ（１２、１２ａ、１２ｂ）を備えたチップ（１４）を有し、当該ＲＦＩＤタグが、繊維層（４）を有し、該繊維層が、折り目線（６）に沿って２つの区域（８、１０）に区分され、第１区域（８）が、デザインタグとして形成され、第２区域（１０）が、前記第１区域上に折り畳まれ、前記第２区域（１０）が、トランスポンダタグとして形成されているものにおいて、
前記第２区域（１０）には、アンテナ（１２、１２ａ、１２ｂ）が嵌め込まれ又は被着されており、前記アンテナが、チップ（１４）と接続されており、前記繊維層（４）が、編まれるか又は織られて形成されており、前記アンテナ（１２）が、前記繊維層に編み込まれるか又は織り込まれていることを特徴とするＲＦＩＤタグ。
【請求項２】
前記アンテナ（１２、１２ａ、１２ｂ）が、蛇行状又はジグザグ状又はコイル状に配置されていることを特徴とする請求項１に記載のＲＦＩＤタグ。
【請求項３】
前記第２区域（１０）のアンテナ（１２ｂ）が、区域の縁部まで案内されていることを特徴とする、請求項１又は２記載のＲＦＩＤタグ。
【請求項４】
前記アンテナ（１２ａ）が、前記デザインタグ（８）に沿って、折り目線（６）から離れて対向する位置にある縁部（１６）にまで延びていることを特徴とする請求項１又は２記載のＲＦＩＤタグ。
【請求項５】
前記トランスポンダが、ＨＦ又はＵＨＦチップ（１４）を有していることを特徴とする請求項１ないし３のいずれか一項に記載のＲＦＩＤタグ。
【請求項６】
当該ＲＦＩＤタグが可塑化されていることを特徴とする請求項１ないし５のいずれか一項に記載のＲＦＩＤタグ。
【請求項７】
前記繊維層（４）が、熱溶解の接着性の糸を含み、該糸が、各区域を互いに結合していることを特徴とする請求項１ないし６のいずれか一項に記載のＲＦＩＤタグ。
【請求項８】
前記アンテナ（１２）が、前記チップ（１４）とはんだ付けされていることを特徴とする請求項１ないし７のいずれか一項に記載のＲＦＩＤタグ。
【請求項９】
前記アンテナ（１２）が、導電性接着剤（２０、２２）によって前記チップ（１４）と接続されていることを特徴とする請求項１ないし７のいずれか一項に記載のＲＦＩＤタグ。
【請求項１０】
前記チップ（１４）が、付加的に接着剤（２８）によって繊維層（４）と接着されていることを特徴とする請求項１ないし９のいずれか一項に記載のＲＦＩＤタグ。
【請求項１１】
前記第２区域（１０）が、最大で前記第１区域（８）と同じ大きさまでの大きさで形成されていることを特徴とする請求項１ないし１０のいずれか一項に記載のＲＦＩＤタグ。
【請求項１２】
前記繊維層（４）が、織られて形成され、前記折り目線（６）が緯糸方向に延びていることを特徴とする請求項１ないし１１のいずれか一項に記載のＲＦＩＤタグ。
【請求項１３】
前記繊維層（４）が、前記嵌め込まれたアンテナ（１２）と共にニードル織機で製造されていることを特徴とする請求項１ないし１２のいずれか一項に記載のＲＦＩＤタグ。
【請求項１４】
前記繊維層（４）が、前記嵌め込まれたアンテナ（１２）と共に広幅織機で製造し裁断されていることを特徴とする請求項１ないし１２のいずれか一項に記載のＲＦＩＤタグ。
【国際調査報告】
2009545038.tif 000006
2009545038.tif 000007
2009545038.tif 000008
2009545038.tif 000009
2009545038.tif 000010
2009545038.tif 000011